(57)【要約】【課題】本考案は白金ナノコロイドの白金粒子を、生地を構成する繊維の表面に付着させることで、抗菌効果や消臭効果、アンチエイジング効果、美肌効果、美髪効果、健康維持効果を高める寝具カバーを提供することを目的とする。【解決手段】本考案の寝具カバーは、白金をナノサイズの微小粒子にした白金ナノコロイド１の水溶液に浸し、乾燥させることで、生地を構成する繊維２の表面に該白金ナノコロイド１を定着させたことを特徴とするものである。【選択図】  図１
0003153686.tif 000002
【実用新案登録請求の範囲】
【請求項１】
白金粒子が分散した白金ナノコロイドの水溶液に浸し、乾燥させることで、生地を構成する繊維の表面に上記白金ナノコロイドの上記白金粒子を定着させたことを特徴とする寝具カバー。
【請求項２】
少なくとも一部の領域に、白金粒子が分散した白金ナノコロイドの水溶液を噴霧し、乾燥させることで、該一部の領域に係る生地を構成する繊維の表面に上記白金ナノコロイドの上記白金粒子を定着させたことを特徴とする寝具カバー。
【請求項３】
表裏の２面を有する寝具カバーであって、
上記表裏の２面のうちいずれかに、白金粒子が分散した白金ナノコロイドの水溶液を噴霧し、乾燥させることで、該表裏の２面のいずれかに係る生地を構成する繊維の表面に上記白金ナノコロイドの上記白金粒子を定着させたことを特徴とする寝具カバー。
【請求項４】
白金粒子が分散した白金ナノコロイドの水溶液に浸し、乾燥させることで、生地を構成する繊維の表面に上記白金ナノコロイドの上記白金粒子を定着させた後、
更に一部の領域に、白金粒子が分散した白金ナノコロイドの水溶液を噴霧し、乾燥させることで、該一部の領域に係る生地を構成する繊維の表面に上記白金ナノコロイドの上記白金粒子を更に定着させたことを特徴とする寝具カバー。
【請求項５】
上記一部の領域とは、使用時に人の顔及び髪が当接する領域であることを特徴とする請求項２又は４のいずれかに記載の寝具カバー。
【考案の詳細な説明】
【技術分野】
【０００１】
本考案は、例えば、枕カバー（ピロケース）、布団カバー（掛け布団カバー、敷き布団カバー）、布団の衿カバー、敷きパット、枕パット（ピロパット）、シーツ等の寝具カバーに関する。
【背景技術】
【０００２】
従来、例えば、枕カバー（ピロケース）、布団カバー（掛け布団カバー、敷き布団カバー）、布団の衿カバー、敷きパット、枕パット（ピロパット）、シーツ等の寝具カバーは、睡眠時に長時間、人の肌や髪等に密着するものであることから、抗菌性や消臭性等が求められている。更に、睡眠をより快適なものとするために、リラクゼーション効果を高め、安眠促進や健康増進に寄与する効果も求められている。
【０００３】
このような要求に鑑み、例えば特許文献１では、マイナスイオンによるリラクゼーション効果を効率的に作用させることができる機能性枕カバーが開示されている。
【０００４】
さらに、例えば特許文献２では、遠赤外線の効果を多く得ることができるようにして使用者の安眠促進や健康増進に寄与する枕カバーが開示されている。
【先行技術文献】
【特許文献】
【０００５】
【特許文献１】特開２００２−２３３４４３号公報
【特許文献２】特開２００８−３０７１９１号公報
【考案の概要】
【考案が解決しようとする課題】
【０００６】
しかしながら、前述した先行技術は、抗菌効果や消臭効果、アンチエイジング効果、美肌効果、美髪効果、疲労回復効果、健康維持効果の全てを高めるものではない。
【０００７】
今日では、白金をナノサイズの微小粒子にした所謂「白金ナノコロイド」が、これら全ての効果を高めるものとして注目されているが、白金ナノコロイドを利用した寝具カバーは実現されていないのが実状である。
【０００８】
そこで、本考案は、上述の技術的な課題に鑑みて、白金ナノコロイドの白金粒子を、生地を構成する繊維の表面に付着させることで、抗菌効果や消臭効果、アンチエイジング効果、美肌効果、美髪効果、健康維持効果を高める寝具カバーを提供することを目的とする。
【課題を解決するための手段】
【０００９】
上述技術的な課題を解決するため、本考案の第１の態様に係る寝具カバーは、白金粒子が分散した白金ナノコロイドの水溶液に浸し、乾燥させることで、生地を構成する繊維の表面に上記白金ナノコロイドの上記白金粒子を定着させたことを特徴とする。
【００１０】
そして、本考案の第２の態様に係る寝具カバーは、少なくとも一部の領域に、白金粒子が分散した白金ナノコロイドの水溶液を噴霧し、乾燥させることで、該一部の領域に係る生地を構成する繊維の表面に上記白金ナノコロイドの上記白金粒子を定着させたことを特徴とする。
【００１１】
また、本考案の第３の態様に係る寝具カバーは、表裏の２面を有する寝具カバーであって、上記表裏の２面のうちいずれかに、白金粒子が分散した白金ナノコロイドの水溶液を噴霧し、乾燥させることで、該表裏の２面のいずれかに係る生地を構成する繊維の表面に上記白金ナノコロイドの上記白金粒子を定着させたことを特徴とする。
【００１２】
さらに、本考案の第４の態様に係る寝具カバーは、白金粒子が分散した白金ナノコロイドの水溶液に浸し、乾燥させることで、生地を構成する繊維の表面に上記白金ナノコロイドの上記白金粒子を定着させた後、更に一部の領域に、白金粒子が分散した白金ナノコロイドの水溶液を噴霧し、乾燥させることで、該一部の領域に係る生地を構成する繊維の表面に上記白金ナノコロイドの上記白金粒子を更に定着させたことを特徴とする。
【００１３】
上記一部の領域とは、使用時に人の顔及び髪が当接する領域であってよい。
【考案の効果】
【００１４】
本考案に係る寝具カバーによれば、白金ナノコロイドの白金粒子を、生地を構成する繊維の表面に付着させることで、抗菌効果や消臭効果、アンチエイジング効果、美肌効果、美髪効果、健康維持効果を高めることが可能となる。
【図面の簡単な説明】
【００１５】
【図１】（ａ）及び（ｂ）は本考案の実施形態に係る寝具カバーの生地を構成する繊維に白金ナノコロイドを付着した様子を示す概念図である。
【図２】（ａ）は本考案の第１の実施形態に係る枕カバーの構成図であり、（ｂ）は該枕カバーを枕に装着した様子を示す図である。
【図３】（ａ）は本考案の第２の実施形態に係る布団カバーの構成図であり、（ｂ）は該布団カバーを布団に装着した様子を示す図である。
【図４】（ａ）は本考案の第３の実施形態に係る布団の衿カバーの構成図であり、（ｂ）は該衿カバーを布団に装着した様子を示す図である。
【図５】本考案の第４の実施形態に係る敷きパットの構成図である。
【図６】本考案の第５の実施形態に係る枕パットの構成図である。
【図７】本考案の第６の実施形態に係るシーツの構成図である。
【考案を実施するための形態】
【００１６】
以下、本考案の寝具カバーに係る好適な実施形態について図面を参照しながら説明する。なお、本考案の寝具カバーは、以下の記述に限定されるものではなく、本考案の要旨を逸脱しない範囲において、適宜変更可能である。
【００１７】
尚、本願において「寝具カバー」とは、例えば枕カバー（ピロケース）、布団カバー（掛け布団カバー、敷き布団カバー）、布団の衿カバー、敷きパット、枕パット（ピロパット）、シーツ等を概念上含むものとする。
【００１８】
先ず、図１を参照して、第１乃至第６の実施形態に共通する概念を説明する。
【００１９】
図１（ａ）、（ｂ）は、寝具カバーの生地を構成する繊維に白金ナノコロイドを付着させた様子を示している。これらの図に示されるように、寝具カバーの生地を構成する繊維２には、白金ナノコロイド１が付着されている。より具体的には、寝具カバーを白金ナノコロイド１の水溶液に浸した後、乾燥させることで、該寝具カバーの生地を構成する繊維の表面に白金ナノコロイド１の白金粒子が定着することになる。或いは、寝具カバーに霧吹き等で白金ナノコロイド１の水溶液を噴霧し、乾燥させることで、該寝具カバーの生地を構成する繊維の表面に白金ナノコロイド１の白金粒子が定着することになる。
【００２０】
ここで、「白金ナノコロイド」とは、白金をナノサイズの微小粒子にした白金粒子が均一に分散した状態のものである。なお、図１（ｂ）においては説明の便宜上、白金ナノコロイド２を実際よりも大きくして図示している。白金ナノコロイド２の白金粒子の平均粒径は、例えば１〜１０ｎｍとなっている。この場合、白金ナノコロイドの水溶液とは、平均粒径が１〜１０ｎｍの白金粒子が均一に分散された白金ナノコロイドの水溶液である。但し、これに限定されないことは勿論である。
【００２１】
白金ナノコロイドは、白金の触媒作用によって皮膚表面等の活性酸素を除去する抗酸化作用を有している。特に、十数種類ある活性酸素のほぼ全ての活性酸素を除去する効果が認められている。さらに、白金ナノコロイドは触媒として作用するために、持続的に抗酸化作用を発揮することができる。これにより、アンチエイジング、美肌、美髪効果が奏される。さらに、消臭効果、抗菌効果も奏される。白金ナノコロイドの中には、社団法人繊維評価技術評議会が定める「防奥抗菌加工／制菌加工繊維製品」のＳＥＫマークの特定赤マークを取得したものもある。また、白金自体は食品添加物として厚生労働省より認可が下りているものであるのである。従って、安全性は十分である。
【００２２】
以下、本考案の第１乃至第４の実施形態について説明する。
【００２３】
（第１の実施形態）
【００２４】
図２（ａ）は本考案の第１の実施形態に係る枕カバー（ピロケース）の構成図であり、図２（ｂ）は該枕カバーを装着した枕の構成図である。
【００２５】
図２（ａ）に示されるように、枕カバー１０は、枕カバー本体１１の生地を構成する繊維の表面に白金ナノコロイドが定着されている。より具体的には、枕カバー１０を白金ナノコロイドの水溶液に浸した後、乾燥させることで、該枕カバー本体１１の生地を構成する繊維の表面に白金ナノコロイドの白金粒子を定着させている。この枕カバー１１本体には、枕を挿入するための開口部があり、該開口部はファスナー１２により開閉自在となっている。枕カバー１０は、表裏の２面を有しているが、そのいずれか一方の生地の繊維の表面にのみ白金ナノコロイドの水溶液を霧吹き等で噴霧して、乾燥させ、白金ナノコロイドの白金粒子を定着させるようにしてもよい。さらに、所定領域にのみ、霧吹きで白金ナノコロイドの水溶液を噴霧して、乾燥させることで、該所定領域にのみ白金ナノコロイドの白金粒子を定着させるようにしてもよい。また、枕カバー本体１１を白金粒子が分散した白金ナノコロイドの水溶液に浸し、乾燥させることで、生地を構成する繊維の表面に白金ナノコロイドの白金粒子を定着させた後、更に枕カバー本体１１の生地の所定領域に白金ナノコロイドの水溶液を噴霧し、乾燥させることで、該一部の領域に係る生地を構成する繊維の表面に白金ナノコロイドの白金粒子を更に定着させてもよい。ここで、所定領域とは、使用時に人の肌や髪が当接する領域等をいう。
【００２６】
そして、図２（ｂ）に示されるように、枕カバー本体１１には、その開口部から枕１５が挿入される。以上、枕カバーについて説明したが、クッションカバーの場合も略同様である。
【００２７】
従って、第１の実施形態によれば、睡眠している最中に、白金ナノコロイドの抗酸化作用により、皮膚表面等の活性酸素が除去され、アンチエイジング、美肌、美髪効果が奏される。さらに、消臭効果、抗菌効果も奏される。
【００２８】
（第２の実施形態）
【００２９】
図３（ａ）は本考案の第２の実施形態に係る布団カバー（掛け布団カバー、敷き布団カバー）の構成図であり、図３（ｂ）は該布団カバーを装着した布団の構成を示す図である。
【００３０】
図３（ａ）に示されるように、布団カバー２０は、布団カバー本体２１の生地を構成する繊維の表面に白金ナノコロイドが定着されている。より具体的には、布団カバー２０を白金ナノコロイドの溶液に浸した後、乾燥させることで、布団カバー本体２１の生地を構成する繊維の表面に白金ナノコロイドの白金粒子を定着させている。布団カバー２０は表裏の２面を有しているが、そのいずれか一方の生地の繊維の表面にのみ白金ナノコロイドの水溶液を霧吹き等で噴霧して、乾燥させ、該白金ナノコロイドの白金粒子を定着させるようにしてもよいことは勿論である。さらに、所定領域にのみ、霧吹きで白金ナノコロイドの水溶液を噴霧して、乾燥させることで、該所定領域にのみ白金ナノコロイドの白金粒子を定着させるようにしてもよい。また、布団カバー本体２１を白金粒子が分散した白金ナノコロイドの水溶液に浸し、乾燥させることで、生地を構成する繊維の表面に白金ナノコロイドの白金粒子を定着させた後、更に布団カバー本体２１の生地の所定領域に白金ナノコロイドの水溶液を噴霧し、乾燥させることで、該一部の領域に係る生地を構成する繊維の表面に白金ナノコロイドの白金粒子を更に定着させるようにしてもよい。ここで、所定領域とは、使用時に人の肌や髪が当接する領域等をいう。布団カバー２１本体には布団を挿入するための開口部があり、該開口部はファスナー２２により開閉自在となっている。
【００３１】
そして、図３（ｂ）に示されるように、布団カバー本体２１の中には布団３０が挿入される。
【００３２】
従って、第２の実施形態によれば、睡眠している最中に、白金ナノコロイドの抗酸化作用により、皮膚表面等の活性酸素が除去され、アンチエイジング、美肌、美髪効果が奏される。さらに、消臭効果、抗菌効果も奏される。また、部屋全体の消臭も期待できる。
【００３３】
（第３の実施形態）
【００３４】
図４（ａ）は本考案の第３の実施形態に係る布団の衿カバーの構成図であり、図４（ｂ）は該衿カバーを布団に装着した様子を示す図である。
【００３５】
図４（ａ）に示されるように、布団の衿カバー本体４１の生地を構成する繊維の表面には白金ナノコロイドが定着されている。より具体的には、布団の衿カバー４０を白金ナノコロイドの溶液に浸した後、乾燥させることで、衿カバー本体４１の生地を構成する繊維の表面に白金ナノコロイドの白金粒子を定着させている。衿カバー４０は、表裏の２面を有しているが、そのいずれか一方の生地の繊維の表面にのみ白金ナノコロイドの水溶液を霧吹き等で噴霧して、乾燥させ、該白金ナノコロイドの白金粒子を定着させるようにしてもよい。さらに、所定領域にのみ、霧吹きで白金ナノコロイドの水溶液を噴霧して、乾燥させることで、該所定領域にのみ白金ナノコロイドの白金粒子を定着させるようにしてもよい。また、布団の衿カバー本体４１を白金粒子が分散した白金ナノコロイドの水溶液に浸し、乾燥させることで、生地を構成する繊維の表面に白金ナノコロイドの白金粒子を定着させた後、更に衿カバー本体４１の生地の所定領域に白金ナノコロイドの水溶液を噴霧し、乾燥させることで、該一部の領域に係る生地を構成する繊維の表面に白金ナノコロイドの白金粒子を更に定着させてもよい。ここで、所定領域とは、使用時に人の肌や髪が当接する領域等をいう。この布団の衿カバー本体４１には、長辺部分に設けられた開口部のほか、その２つの角部に２つの開口部４２，４３が設けられている。
【００３６】
そして、図４（ｂ）に示されるように、布団の衿カバー本体４１には、長辺部分に設けられた開口部から布団５０が挿入される。そして、衿カバー本体４１は、布団５０の２つの角部が当該布団の衿カバー本体４１の角部に設けられた開口部４２，４３から突出するような態様で布団５０に装着されることになる。
【００３７】
従って、第３の実施形態によれば、睡眠している最中に、白金ナノコロイドの抗酸化作用により、皮膚表面等の活性酸素が除去され、アンチエイジング、美肌、美髪効果が奏される。さらに、消臭効果、抗菌効果も奏される。特に、顔に接する領域のみに装着される衿カバーに白金ナノコロイドを定着させることは、コスト低下ももたらす。
【００３８】
（第４の実施形態）
【００３９】
図５は本考案の第４の実施形態に係る敷きパットの構成図である。
【００４０】
この図５に示されるように、敷きパット本体６１の生地を構成する繊維の表面には白金ナノコロイドが定着されている。即ち、より具体的には、敷きパット６０を白金ナノコロイドの水溶液に浸した後、乾燥させることで、敷きパット本体６１の生地を構成する繊維の表面に白金ナノコロイドの白金粒子を定着させている。尚、敷きパット６０の所定領域にのみ、霧吹きで白金ナノコロイドの水溶液を噴霧して、乾燥させることで、該所定領域にのみ白金ナノコロイドの白金粒子を定着させるようにしてもよい。敷きパット本体６１の四隅には、敷きパット本体６１をベッドのマットレス等に固定するための固定部材６２が設けられている。但し、固定部材６２は、必須の構成ではない。
【００４１】
従って、第４の実施形態によれば、睡眠している最中に、白金ナノコロイドの抗酸化作用により、皮膚表面等の活性酸素が除去され、アンチエイジング、美肌、美髪効果が奏される。さらに、消臭効果、抗菌効果も奏される。特に、敷きパット６０は、睡眠中の汗等を吸収する役割を担うが、汗の匂いを消臭する効果が期待できる。
【００４２】
（第５の実施形態）
【００４３】
図６は本考案の第５の実施形態に係る枕パット（ピロパット）の構成図である。
【００４４】
この図６に示されるように、枕パット本体７１の生地を構成する繊維の表面には白金ナノコロイドが定着されている。即ち、より具体的には、枕パット７０を白金ナノコロイドの水溶液に浸した後、乾燥させることで、枕パット本体７１の生地を構成する繊維の表面に白金ナノコロイドの白金粒子を定着させている。尚、枕パット本体７１の所定領域にのみ霧吹きで白金ナノコロイドの水溶液を噴霧して、乾燥させることで、該所定領域にのみ白金ナノコロイドの白金粒子を定着させるようにしてもよい。ここで、所定領域とは、使用時に人の肌や髪が（枕カバーを介して）当接する領域等をいう。枕パット本体７１には、枕パット本体７１を枕に固定するための固定部材７２が設けられている。但し、固定部材７２は、必須の構成ではない。
【００４５】
従って、第４の実施形態によれば、睡眠している最中に、白金ナノコロイドの抗酸化作用により、皮膚表面等の活性酸素が除去され、アンチエイジング、美肌、美髪効果が奏される。さらに、消臭効果、抗菌効果も奏される。
【００４６】
（第６の実施形態）
【００４７】
図７は本考案の第６の実施形態に係るシーツの構成図である。
【００４８】
この図７に示されるように、第６の実施形態は、シーツ８０を白金ナノコロイドの水溶液に浸した後、乾燥させることで、該シーツ８０の生地を構成する繊維に白金ナノコロイドの白金粒子を定着させたものである。尚、シーツ８０の所定領域にのみ、霧吹きで白金ナノコロイドの水溶液を噴霧して、乾燥させることで、該所定領域にのみ白金ナノコロイドの白金粒子を定着させるようにしてもよい。
【００４９】
従って、第６の実施形態によれば、睡眠している最中に、白金ナノコロイドの抗酸化作用により、皮膚表面等の活性酸素が除去され、アンチエイジング、美肌、美髪効果が奏される。さらに、消臭効果、抗菌効果も奏される。特に、シーツは、睡眠中の汗等を吸収する役割を担うが、汗の匂いを消臭する効果が期待できる。
【００５０】
以上説明したように、本考案の第１乃至第６の実施形態によれば、繊維で構成された生地を加工した寝具用カバーであって、白金をナノサイズ（例えば白金粒子の平均粒径が１〜１０ｎｍ）にした白金粒子が均一に分散した白金ナノコロイドの水溶液に浸し、乾燥させることで、上記生地を構成する繊維の表面に該白金ナノコロイドの白金粒子を定着させたことを特徴とする寝具カバーが提供される。
【００５１】
さらには、繊維で構成された生地を加工した寝具用カバーであって、少なくとも一部の領域に、白金をナノサイズ（例えば白金粒子の平均粒径が１〜１０ｎｍ）にした白金粒子が均一に分散した白金ナノコロイドの水溶液を噴霧し、乾燥させることで、該一部の領域に係る上記生地を構成する繊維の表面に該白金ナノコロイドの白金粒子を定着させたことを特徴とする寝具カバーが提供される。
【００５２】
また、繊維で構成された生地を加工した寝具用カバーであって、表裏の２面を有する寝具カバーであって、上記表裏の２面のうちいずれかに白金をナノサイズ（例えば白金粒子の平均粒径が１〜１０ｎｍ）にした白金粒子が均一に分散した白金ナノコロイドの水溶液を噴霧し、乾燥させることで、該表裏の２面のいずれかに係る上記生地を構成する繊維の表面に該白金ナノコロイドの白金粒子を定着させたことを特徴とする寝具カバーが提供される。
【００５３】
さらに、繊維で構成された生地を加工した寝具用カバーであって、白金をナノサイズ（例えば白金粒子の平均粒径が１〜１０ｎｍ）にした白金粒子が均一に分散した白金ナノコロイドの水溶液に浸し、乾燥させることで、生地を構成する繊維の表面に上記白金ナノコロイドの上記白金粒子を定着させた後、更に一部の領域に、白金粒子が分散した白金ナノコロイドの水溶液を噴霧し、乾燥させることで、該一部の領域に係る生地を構成する繊維の表面に上記白金ナノコロイドの上記白金粒子を更に定着させたことを特徴とする寝具カバーが提供される。
【００５４】
尚、上記一部の領域とは、使用時に人の顔及び髪が当接する領域であってよい。
【００５５】
以上、本考案の実施形態について説明したが、本考案はこれに限定されることなく、その趣旨を逸脱しない範囲で種々の改良・変更が可能であることは勿論である。たとえば、枕やクッション、タオルケット等にも適用可能であることは勿論である。
【符号の説明】
【００５６】
１  白金ナノコロイド
２  繊維
１０  枕カバー
１１  枕カバー本体
１２  ファスナー
１５  枕
２０  布団カバー
２１  布団カバー本体
２２  ファスナー
３０  布団
４０  衿カバー
４１  衿カバー本体
４２  開口部
４３  開口部
５０  布団
６０  敷きパット
６１  敷きパット本体
６２  固定部材
７０  枕パット
７１  枕パット本体
７２  固定部材
８０  シーツ
【図１】
0003153686.tif 000003
【図２】
0003153686.tif 000004
【図３】
0003153686.tif 000005
【図４】
0003153686.tif 000006
【図５】
0003153686.tif 000007
【図６】
0003153686.tif 000008
【図７】
0003153686.tif 000009